(57)【要約】【課題】  保守・メンテナンスに必要な履歴データを効率良く利用し、かつ保存できる貨幣識別処理装置を提供する。【解決手段】  この貨幣識別処理装置は、金銭投入機構１、金銭識別回路２、金銭受付回路３、金種判別回路４、金銭保留機構５、入出力回路６、商品販売回路７、金銭払出回路８、記憶回路９、タイマ１０、区分設定回路１３等の複数の機能部品により構成されている。記憶回路９は、機能部品毎の稼動履歴を保持する第１の記憶領域（累積データエリア）と、機能部品の稼動履歴をその保守点検、修理、或いは交換毎に更新して保持する第２の記憶領域（メンテナンスデータエリア）とを含んでいる。また、区分設定回路１３では、記憶回路９の累積データエリアの計数結果とメンテナンスデータエリアの計数結果とを各々独立して保持するように、履歴データを区分して保存している。【選択図】  図１
2005149472.tif 000002
【特許請求の範囲】
【請求項１】
電源オンオフ、稼動時間計測、貨幣識別、貨幣受け入れ枚数計算、貨幣払出枚数計算、故障履歴の記録など、一連の貨幣識別処理を複数の機能部品で分担して実行する貨幣識別処理装置において、
それぞれ前記機能部品毎に当該貨幣識別処理の回数を計数する計数手段と、
前記計数手段により計数した計数結果を前記機能部品毎の稼動履歴として保持する第１の記憶手段と、
前記機能部品の保守点検、修理、或いは交換に際して、前記計数結果を稼動履歴としてそのまま保持する必要があるものと、更新して保持するものとに区分する区分手段と、
前記区分手段により更新して保持するものとされた計数結果を、前記機能部品の保守点検、修理、或いは交換毎に更新して保持する第２の記憶手段と
を備えたことを特徴とする貨幣識別処理装置。
【請求項２】
貨幣識別処理装置を構成する複数の機能部品の稼動履歴を保存する稼動履歴保存方法であって、
前記貨幣識別処理装置の電源オンオフ動作の回数を記録するステップと、
前記貨幣識別処理装置の稼動時間を記録するステップと、
前記貨幣識別処理装置における貨幣受け入れ枚数を記録するステップと、
前記貨幣識別処理装置における貨幣払出枚数を記録するステップと、
前記貨幣識別処理装置の故障回数を記録するステップと
を備え、前記各ステップでは、保守点検、修理、或いは交換に際して前記稼動履歴を必要とする前記機能部品については、その記録内容を保守点検、修理、或いは交換毎に更新して記録するとともに、記録内容の累計値を保存するようにしたことを特徴とする貨幣識別処理装置における稼動履歴保存方法。
【請求項３】
前記貨幣識別処理装置における貨幣受け入れ枚数を記録するステップは、受け入れた貨幣の金種別の枚数と総枚数とを記録することを特徴とする請求項２記載の稼動履歴保存方法。
【請求項４】
前記貨幣識別処理装置における貨幣払出枚数を記録するステップは、払い出した貨幣の金種別の枚数と総枚数とを記録することを特徴とする請求項２記載の稼動履歴保存方法。
【請求項５】
前記貨幣識別処理装置の保守点検を行った場合に、稼動時間の記録内容を更新することを特徴とする請求項２記載の稼動履歴保存方法。
【請求項６】
前記貨幣識別処理装置の貨幣受け入れ機構部品の保守点検、修理、或いは交換を行った場合に、貨幣受け入れ枚数の記録内容を更新することを特徴とする請求項２記載の稼動履歴保存方法。
【請求項７】
前記貨幣識別処理装置の貨幣払い出し機構部品の保守点検、修理、或いは交換を行った場合に、貨幣払出枚数の記録内容を更新することを特徴とする請求項２記載の稼動履歴保存方法。
【請求項８】
電源オンオフ、稼動時間計測、貨幣識別、貨幣受け入れ枚数計算、貨幣払出枚数計算、故障履歴の記録など、一連の貨幣識別処理を複数の機能部品で分担して実行する貨幣識別処理装置に適用され、前記機能部品の稼動履歴に基づく所定の情報を外部に視認可能に表示する稼動履歴処理装置において、
前記機能部品毎に前記貨幣識別処理の回数をそれぞれ計数する計数手段と、
前記計数手段により計数した計数結果を前記機能部品毎の稼動履歴として保持する第１の記憶手段と、
前記稼動履歴に対応して前記機能部品の保守点検、修理、或いは交換に関する所定の診断内容と、前記診断内容に対応して予め設定された判定基準と、前記判定基準に基づく診断結果に対応して表示させるべき表示内容を記憶する第２の記憶手段と、
前記第１の記憶手段に保持されたいずれかの前記計数結果を用いて、前記第２の記憶手段に記憶された前記診断内容に対応した履歴データを取得し、その履歴データを対応する前記判定基準と対比して診断する診断手段と、
前記診断手段による診断結果に基づき、前記第２の記憶手段から表示させる表示内容を抽出して表示する表示手段と、
を備えたことを特徴とする稼動履歴処理装置。
【請求項９】
さらに、前記機能部品の保守点検、修理、或いは交換に際して、前記計数結果を稼動履歴としてそのまま保持する必要があるものと、更新して保持するものとに区分する区分手段を備え、
前記第１の記憶手段は、前記区分手段によりそのまま保持するものとされた計数結果と、前記区分手段により更新して保持するものとされた計数結果とを区別して記憶し、前記更新して保持するものとされた計数結果については、前記機能部品の保守点検、修理、或いは交換毎に更新して保持すること、
を特徴とする請求項８記載の稼動履歴処理装置。
【請求項１０】
前記貨幣識別処理装置とこれに通信可能に接続されるコンピュータとからなり、
前記貨幣識別処理装置は、前記計数手段および前記第１の記憶手段を備え、
前記コンピュータは、前記第２の記憶手段、前記診断手段、および前記表示手段を備えたこと、
を特徴とする請求項８記載の稼動履歴処理装置。
【請求項１１】
前記表示手段は、
前記診断手段が診断した全ての診断結果の概要を表示する概要表示手段と、
前記各診断結果の詳細を表示する詳細表示手段と、
を備えたことを特徴とする請求項８記載の稼動履歴処理装置。
【発明の詳細な説明】
【技術分野】
【０００１】
この発明は、自動販売機や両替機等に搭載される貨幣識別処理装置、稼動履歴保存方法および稼動履歴処理装置に関し、とくに履歴データを確実に保存し、利用ができるメモリを備えた貨幣識別処理装置、稼動履歴保存方法および稼動履歴処理装置に関する。
【背景技術】
【０００２】
自動販売機や両替機等には、投入された紙幣や硬貨の真偽や種類を識別するため、ビルバリ（紙幣識別機）やコインメック（硬貨識別機）などの貨幣識別処理装置が搭載されている。こうした貨幣識別処理装置は、各種の貨幣搬送手段や貨幣識別手段から構成されており、自動販売機や両替機を市場で効率的に運用するには、組み込んであるビルバリやコインメックの稼動状態を逐次記憶しておき、適切な時期に適切なメンテナンスや修理をすることが必要である。
【０００３】
そこで、ビルバリやコインメックには、従来から電源遮断時にもバックアップ可能なカウンタが備えられ、そこに各機能部品の履歴データを記憶しておき、それらのデータを定期的にチェックする方法が採用されている。そして、これらの履歴データは、いずれもビルバリやコインメックの使用頻度を分析して、将来の新製品開発に役立てることができるという意味でも重要なデータであって、継続して計測することが必要なデータである。
【０００４】
貨幣識別処理装置、例えばビルバリの代表的な履歴データには、稼働時間データ、電源投入回数データ、貨幣挿入総枚数データ、金種別受け入れ枚数データ、貨幣払出枚数データ、金種別払出枚数データ、故障履歴データなどがある。これらの履歴データは、累積的に記憶しておくべきデータと、機能部品の保守点検、修理、或いは交換に際してクリアして、更新するべきデータとに分類できる。これらのデータのうち稼動時間データや貨幣挿入総枚数データは、ビルバリの貨幣受け入れ機構や貨幣識別手段の清掃、オーバーホール等を実行する目安となるデータであり、貨幣払出枚数データもまた、その貨幣払出機構の清掃、オーバーホールといった保守点検時期を決定するデータとして利用できる。そこで、機能部品毎に独立して計数されるデータのうち、稼動時間データや貨幣挿入総枚数データは累積稼動データとしてだけでなく、メンテナンス用稼動データとしても利用するためには、機能部品の保守点検、修理、或いは交換に際して、一旦クリアしなくてはならないものである。
【０００５】
すなわち、将来の新製品開発などに利用する累積稼動データは、その一部がオーバーホールを含む保守点検、修理、或いは交換を行うためのメンテナンス用データとしても利用できる。ところが、従来の貨幣識別処理装置では、ビルバリ又はコインメックの生涯の累積稼動データとして継続して計数して記憶するものが一般的であり、履歴データが累計値としてだけ記憶され、或いは表示されていた。
【０００６】
こうした保存方法では、一旦履歴データをクリアすると、その時点まで計数された履歴データは一旦‘０’にリセットされ、再度その時点から新たに履歴データの計数を開始することになる。また、クリアするまでのデータを別に保存すれば、その時点から再度計数を継続したとき、別に保存された履歴データは、のちに累計しなければ将来の新製品開発に役立てることができない。
【特許文献１】特開２００１−１０１４９２号公報（段落番号〔０００１〕〜〔０００６〕，図６）
【発明の開示】
【発明が解決しようとする課題】
【０００７】
従来の貨幣識別処理装置の構成では、各機能部品の履歴データを分析し、それに基づいて保守や修理を行う場合、保守・修理に関する履歴データをクリアしなければならず、前述のように今まで計数されたデータをすべて破棄して再び計数しなおすことになる。そのため、ビルバリやコインメックの生涯の累積稼動データを、その製品自体から直接に取り出すことが不可能であった。
【０００８】
こうした問題を避けるためには、保守や修理を行った機能部品毎に、製品の機番と各履歴データとを別途に記録しておかなければならない。また、つぎの保守点検を行うための各データの分析においても、記録したデータを読み出し後に、各データを演算して生涯の累積稼動データを求めなければならないといった煩わしさがあった。
【０００９】
また、履歴データの確認については、例えば、貨幣識別処理装置にコンピュータ等を接続し、通信等により履歴データを読み込んで、そのコンピュータの画面に表示させることにより、各種稼動データを目視することは可能である。しかし、このデータは、貨幣識別処理装置を熟知した技術者しか分析することはできず履歴データを有効に活用することができなかった。
【００１０】
この発明は、上述した課題を解決するためになされたもので、保守・メンテナンスに必要な履歴データを効率良く利用し、かつ保存できる貨幣識別処理装置および稼動履歴保存方法を提供することを目的にしている。
【００１１】
また、貨幣識別処理装置について熟知していない人でも適切なメンテナンスができる稼動履歴処理装置を提供することを目的とする。
【課題を解決するための手段】
【００１２】
この発明の貨幣識別処理装置は、電源オンオフ、稼動時間計測、貨幣識別、貨幣受け入れ枚数計算、貨幣払出枚数計算、故障履歴の記録など、一連の貨幣識別処理を複数の機能部品で分担して実行する貨幣識別処理装置において、それぞれ前記機能部品毎に当該貨幣識別処理の回数を計数する計数手段と、前記計数手段により計数した計数結果を前記機能部品毎の稼動履歴として保持する第１の記憶手段と、前記機能部品の保守点検、修理、或いは交換に際して、前記計数結果を稼動履歴としてそのまま保持する必要があるものと、更新して保持するものとに区分する区分手段と、前記区分手段により更新して保持するものとされた計数結果を、前記機能部品の保守点検、修理、或いは交換毎に更新して保持する第２の記憶手段とを備えたことを特徴とする。
【００１３】
また、この発明の稼動履歴保存方法は、貨幣識別処理装置を構成する複数の機能部品の稼動履歴を保存する稼動履歴保存方法であって、前記貨幣識別処理装置の電源オンオフ動作の回数を記録するステップと、前記貨幣識別処理装置の稼動時間を記録するステップと、前記貨幣識別処理装置における貨幣受け入れ枚数を記録するステップと、前記貨幣識別処理装置における貨幣払出枚数を記録するステップと、前記貨幣識別処理装置の故障回数を記録するステップとを備え、前記各ステップでは、保守点検、修理、或いは交換に際して前記稼動履歴を必要とする前記機能部品については、その記録内容を保守点検、修理、或いは交換毎に更新して記録するとともに、記録内容の累計値を保存するようにしたことを特徴とする。
【００１４】
また、この発明の稼動履歴処理装置は、電源オンオフ、稼動時間計測、貨幣識別、貨幣受け入れ枚数計算、貨幣払出枚数計算、故障履歴の記録など、一連の貨幣識別処理を複数の機能部品で分担して実行する貨幣識別処理装置に適用され、前記機能部品の稼動履歴に基づく所定の情報を外部に視認可能に表示する稼動履歴処理装置において、前記機能部品毎に前記貨幣識別処理の回数をそれぞれ計数する計数手段と、前記計数手段により計数した計数結果を前記機能部品毎の稼動履歴として保持する第１の記憶手段と、前記稼動履歴に対応して前記機能部品の保守点検、修理、或いは交換に関する所定の診断内容と、前記診断内容に対応して予め設定された判定基準と、前記判定基準に基づく診断結果に対応して表示させるべき表示内容を記憶する第２の記憶手段と、前記第１の記憶手段に保持されたいずれかの前記計数結果を用いて、前記第２の記憶手段に記憶された前記診断内容に対応した履歴データを取得し、その履歴データを対応する前記判定基準と対比して診断する診断手段と、前記診断手段による診断結果に基づき、前記第２の記憶手段から表示させる表示内容を抽出して表示する表示手段と、を備えたことを特徴とする。
【発明の効果】
【００１５】
以上のように構成した貨幣識別処理装置では、装置の生涯稼働時点での累積稼動データとともに、保守・メンテナンスに必要な点検時点での履歴データとを簡単に保存することができ、従来技術の課題を解決することが可能となる。
【００１６】
この発明の貨幣識別処理装置では、記憶するべき履歴データを、生涯に渡り計数記憶する累積稼動データと、保守・メンテナンスを行った際にその都度クリア可能なデータとに分類する。これにより、保守・メンテナンスに必要な履歴データを効率良く利用し、かつ保存できる。
【００１７】
また、貨幣識別処理装置の稼動履歴保存方法では、継続して稼動履歴を計数する履歴データとメンテナンス時点の判定などのように、ある時点でクリア可能なメンテナンス用データとを、各々独立して計数し、保存することにより、メンテナンスの時期を適切に判定することができるとともに、メンテナンス等に際してデータをクリアした場合でも、履歴データを別に計数することにより累積稼動データは消失せず、稼動履歴の安定した計測を行うことが可能となる。
【００１８】
また、稼動履歴処理装置では、機能部品の保守点検、修理、或いは交換に関する診断内容およびその判定基準が予め設定され、稼動履歴に応じてこれを自己診断し、その診断結果に対応した表示内容を表示する。このことにより、貨幣識別処理装置について熟知していない人でも適切なメンテナンスをすることが可能になる。
【発明を実施するための最良の形態】
【００１９】
ここでは、紙幣、硬貨を受け入れて、顧客に商品を販売する自動販売機で貨幣を処理するためのビルバリ、コインメックなどの貨幣識別処理装置について説明する。
以下、図面を参照して第１の実施の形態について説明する。
【００２０】
図１は、貨幣識別処理装置の主要部についての構成の一例を示すブロック図である。
この装置は、自動販売機（自販機）全体を制御する主制御部や電源（いずれも図示せず。）と接続されたビルバリやコインメックであって、つぎの機構部品や機能回路等、複数の機能部品により構成されている。
【００２１】
すなわち、自販機に紙幣や硬貨などの貨幣が投入される金銭投入機構１、金銭投入機構１へ投入された貨幣の真偽を判定する金銭識別回路２、投入貨幣を受け付ける金銭受付回路３、受け付けた貨幣を判別して金種別に振り分ける金種判別回路４、振り分けられた貨幣を投入順に蓄積する筒状チューブや紙幣保管箱などの金銭保留機構５、商品選択表示ボタンなどで商品選択を受け付ける入出力回路６、種々の商品販売動作を行う商品販売回路７、商品販売回路７の指示により釣銭や貨幣返却の際に所定金額の金銭を払い出す金銭払出回路８、電源投入回数、自販機稼働時間、投入され、又は払い出された貨幣の金種や金額などのデータ、商品販売回路７による販売データや商品販売の有無、或いは機能部品毎の故障履歴などを記憶する記憶回路９、計時用のタイマ１０、動作時間帯設定などに用いる時計・タイマ１１、所定の金種の貨幣投入を規制するなど、種々の販売規制を行う規制判定回路１２、および各機能部品における計数結果を稼動履歴としてそのまま保持する必要があるものと、更新して保持するものとに区分する区分設定回路１３を含んでいる。なお、これらの機能部品には図示しない電源回路から電源供給がなされている。
【００２２】
記憶回路９は、機能部品毎の稼動履歴を保持する第１の記憶領域（累積データエリア）と、機能部品の稼動履歴をその保守点検、修理、或いは交換毎に更新して保持する第２の記憶領域（メンテナンスデータエリア）とを含んでいる。また、区分設定回路１３では、記憶回路９の累積データエリアの計数結果とメンテナンスデータエリアの計数結果とを各々独立して保持するように、履歴データを区分して保存している。この記憶回路９に保存される履歴データとして、稼働時間データを例に説明すると、貨幣識別処理装置が所定の点検時間に達したとき、ビルバリ或いはコインメックの点検を実施し、その後、メンテナンスデータエリアに記憶されている稼働時間履歴データのみをクリアし、累積データエリアの稼働時間履歴データはクリアせずに、継続して計数され、稼働時間についての蓄積稼動データとして保存される。
【００２３】
この実施の形態では、継続して計数する稼動データの項目として、つぎの７項目が設定されている。
（１）稼働時間
（２）電源投入回数
（３）貨幣挿入総枚数
（４）金種別受け入れ枚数
（５）貨幣払出枚数
（６）金種別払出枚数
（７）故障履歴
また、メンテナンス関係の分析データとしては、つぎの３項目が設定されている。
（１１）稼働時間
（１２）貨幣挿入総枚数
（１３）貨幣払出枚数
上記（１１）〜（１３）の分析データは、機能部品毎に貨幣識別処理の回数を計数するカウンタなどの計数手段により計測された継続稼動データの（１），（３），（５）と同一の計数結果であるが、それらの記憶エリアとしては、記憶回路９にそれぞれ個別の領域が割り当てられ、前者は機能部品の保守点検、修理、或いは交換毎に更新して、保存されるものである。
【００２４】
図２、図３、図４は、この実施の形態の動作を示すフローチャートである。
まず、図２、図３により、機能部品におけるそれぞれの稼動履歴の保存方法について説明する。
【００２５】
電源回路のオンオフをチェックし、電源オンになった時点で、電源投入回数をインクリメントし、記憶回路９における第１の記憶領域の計数値（累積投入回数）を＋１アップして（Ｓ１→Ｓ２）、ステップＳ３に進む。電源投入がなかった場合、ステップＳ２の計数をスキップしてステップＳ３の稼働時間の計数に移行する。
【００２６】
ステップＳ３では、タイマ１０により稼働時間の計数を行う。これは、前回のカウントアップから１時間経過しているか否かを判定して、１時間ごとにカウントアップするものとする。１時間経過していれば、記憶回路９における第１の記憶領域の計数値（累積稼働時間）と、第２の記憶領域（メンテナンスデータエリア）に保持された稼働時間の両方をカウントアップする（Ｓ３→Ｓ４→Ｓ５）。
【００２７】
ステップＳ３で１時間経過していない場合には、記憶回路９に保持された計数値をいずれもインクリメントしないで、つぎのステップＳ６の札挿入チェックに移行する。
ステップＳ６の金銭投入機構１における札挿入チェックでは、挿入された紙幣の種類に関係なく、紙幣の挿入があったかどうかだけをチェックし、挿入があった場合には、金銭投入機構１での札挿入枚数に応じて計数カウンタをインクリメントする。この記憶回路９における計数値のカウントアップは、継続データにあたる累積札挿入枚数とメンテナンスデータにあたる札挿入枚数のデータエリアのそれぞれをカウントアップする（Ｓ６→Ｓ７→Ｓ８）。
【００２８】
ステップＳ６で紙幣の挿入がない場合には、各々の計数値はインクリメントをしないで、ステップＳ６から金種別札挿入チェックのステップＳ９に移行する。
金種判別回路４における金種別札挿入チェックでは、金種毎に紙幣挿入があったか否かの判断がなされ、それぞれ金種毎の枚数カウンタをインクリメントするか否かが決定される（Ｓ９，Ｓ１１）。ここでは、千円札と２千円札との金種を判別して、それらの挿入のチェックを行う例を示している。
【００２９】
千円札の挿入があった場合、金種判別回路４の累積千円札挿入枚数カウンタをインクリメントし、記憶回路９の第１の記憶領域（累積データエリア）における計数データのみをカウントアップする（Ｓ９→Ｓ１０）。金種別の稼動履歴については、記憶回路９のメンテナンスデータエリアが割り当てられていないため、累積データエリアにおける継続稼動データのみがカウントアップされる。千円札の挿入がない場合、ステップＳ９ではカウントアップをしないで、２千円札の挿入判定のステップＳ１１に移行する。
【００３０】
ステップＳ１１では２千円札の挿入チェックを行い、２千円札の挿入があった場合、累積２千円札挿入枚数カウンタがインクリメントされて、累積データエリアにおける累積データのカウントアップが行われる（Ｓ１１→Ｓ１２）。２千円札の挿入がない場合には、カウントアップをしないで、つぎの払出有無の判定に移行する（Ｓ１１→Ｓ１３）。
【００３１】
このように金種別札挿入チェックについては、メンテナンス用稼動データが割り当てられていないため、継続稼動データのカウントアップのみが行われる。
図３におけるステップＳ１３の札払出チェックでは、金銭払出回路８において、払い出し紙幣の種類に関係なく紙幣の払い出しがあったかどうかのチェックを行う。すなわち、紙幣の払い出しがあった場合には、金銭払出回路８の計数カウンタをインクリメントして、ステップＳ１４に進む。記憶回路９では、継続データにあたる累積札払出枚数とメンテナンスデータにあたる札払出枚数のデータエリアの計数値をそれぞれカウントアップする（Ｓ１３→Ｓ１４→Ｓ１５）。
【００３２】
札の払い出しがない場合は、各々の計数値はインクリメントをしないで、ステップＳ１３からつぎの金種別札払出チェックのステップＳ１６に移行する。
ステップＳ１６の金種別札払出チェックでは、金銭払出回路８において払い出しがあったか否かを紙幣の金種毎に判断し、それぞれの枚数カウンタをインクリメントするか否かが決定される。ここでは、千円札と２千円札の払い出しのチェックを行う例を示している。
【００３３】
ステップＳ１６では、千円札の払い出しがあった場合に、累積千円札払出枚数カウンタをインクリメントして、記憶回路９で保持されている計数結果をカウントアップする（Ｓ１６→Ｓ１７→Ｓ１８）。この金種別札払出チェックでは、記憶回路９のメンテナンスデータエリアが割り当てられていないため、累積データエリアの継続稼動データだけがカウントアップされる（ステップＳ１７）。千円札の払い出しがない場合には、ステップＳ１６ではカウントアップをしないで、つぎの２千円札払出判定のステップＳ１８に移行する。
【００３４】
ステップＳ１８では２千円札の払出チェックを行い、２千円札の払い出しがあった場合、累積２千円札払出枚数カウンタをインクリメントし、累積データエリアにおける累積データのカウントアップが行われる（Ｓ１８→Ｓ１９→Ｓ２０）。
【００３５】
このように金種別札払出チェックは、挿入チェックのときと同様に、メンテナンス用稼動データが割り当てられていないため、継続稼動データのカウントアップのみが行われる。
【００３６】
ステップＳ１８において２千円札の払い出しがない場合には、計数値のカウントアップをしないで故障判定に移行する（Ｓ１８→Ｓ２０）。
ステップＳ２０の故障チェックでは、各機能部品の故障の有無と、その内容のチェックが行われ、故障があった場合にはそれらの内容がメモリに記憶される（Ｓ２０→Ｓ２１）。この実施の形態では、故障履歴データはメンテナンスデータとしては区分されていないため、継続稼動データとしてのみ記憶される。ステップＳ２０で故障がない場合には、そのまま稼動データの計数処理が終了する。
【００３７】
以上の識別処理手順では、保守点検、修理、或いは交換に際して稼動履歴を必要とする機能部品については、その記録内容を保守点検、修理、或いは交換毎に更新して記録するとともに、記録内容の累計値を保存するようにしているので、貨幣識別処理装置では継続する稼動データの計数内容とメンテナンス用の稼動データの計数内容とを独立して保持することができる。なお、硬貨を識別処理するコインメックであっても、同様な処理ステップにより稼動履歴が保存できる。
【００３８】
つぎに、貨幣識別処理装置における稼動データのクリア処理方法について、図４のフローチャートを参照して説明する。
貨幣識別処理装置では、タイマ１０により計測された稼働時間が所定の点検時間に達したとき、所定の機能部品の点検を行う。この場合、所定の機能部品の定期点検が終了した時点で、それまでの稼働時間データをクリアしておく必要がある（Ｓ３１）。この貨幣識別処理装置では、記憶回路９に保持されている稼働時間カウンタの計測結果のうち、累積データエリアの稼働時間履歴データはクリアせずに、メンテナンス用データにあたる稼働時間カウンタのデータのみをクリアしている（Ｓ３２）。
【００３９】
札挿入枚数データについては、紙幣の挿入枚数が所定の枚数に達したとき、搬送モータや搬送路の汚れ、搬送ベルト、搬送口一ラの点検・清掃を行う。すなわち、ステップＳ３３で点検等を実施した場合には、次回の点検枚数の判定基準となるように、それまでの札挿入枚数の計数値をクリアして、０にリセットする必要がある。したがって、ステップＳ３４に進んで、札挿入枚数カウンタのクリアを実施する。ここでは、記憶回路９に保持されている挿入枚数カウンタの計測結果のうち、メンテナンス用データにあたる札挿入枚数カウンタのデータのみクリアする（Ｓ３４）。
【００４０】
同様に、札払出枚数についても、紙幣の払出枚数が所定の枚数に達したとき、払い出しモータや搬送機構の点検・清掃を行う。すなわち、ステップＳ３５で点検等を実施した場合には、次回の点検枚数の判定基準となるように、札払出枚数カウンタのクリアを実施して、そのデータを０にリセットする必要がある。ここでは、札払出枚数カウンタのクリアを実施する際に、払出枚数カウンタの計測結果のうち、メンテナンス用データにあたる札払出枚数カウンタのみクリアする（Ｓ３６）。
【００４１】
以上のようなクリア処理を行うことにより、継続して計数する必要があるデータをクリアすることなしに、継続してカウントアップを行うことが可能になる。また、メンテナンスのタイミング判定に必要なデータについては、メンテナンスごとに計数値をリセットするようにしたので、別途にカウントの値を記録し、前回の計数値と今回の計数値とを比較して前回からのカウント値を算出するなどの作業が不要になり、直接メンテナンスに必要なデータのカウント値を読み出すだけで、簡単にタイミング判定に利用することができる。
【００４２】
つぎに、第２の実施の形態について説明する。
図５は、稼動履歴処理装置の構成例を示すブロック図である。
稼動履歴処理装置は、貨幣識別処理装置１４と、これに通信可能に接続されたコンピュータ１７とからなる。
【００４３】
貨幣識別処理装置１４は、図１に示した機構部品や機能回路等、複数の機能部品１〜１３を有する主要回路部１５と、コンピュータ１７との間の通信により送受信する履歴データを入出力する入出力回路１６とを備えている。なお、機能部品１〜１３については第１の実施の形態で説明したので、ここでの説明は省略する。
【００４４】
また、コンピュータ１７は、全体を制御する主制御部や電源（いずれも図示せず。）と、下記の機能回路等を備えている。
すなわち、このコンピュータ１７は、貨幣識別処理装置１４から読み込まれた履歴データに対応した機能部品の保守点検、修理、或いは交換に関する所定の診断内容、この診断内容に対応して予め設定された判定基準、この判定基準に基づく診断結果に対応して表示させるべき表示内容を後述するデータテーブルとして記憶し、また、コンピュータ１７が後述する各処理を行ったときに用いる所定のフラグを記憶するための記憶回路１８を備えている。さらに、コンピュータ１７は、履歴データと上記判定基準とを比較してメンテナンス時期などを診断するための診断回路１９、診断回路１９で診断された診断結果に合ったメッセージを選択するメッセージ選択回路２０、メッセージ選択回路２０で選択されたメッセージを記憶回路１８から抽出して画面に表示する画面表示回路２１を備えている。また、コンピュータ１７は、データを入出力する入出力回路２２を備えており、この入出力回路２２は、貨幣識別処理装置１４側の入出力回路１６と接続ケーブル２３を介して接続されている。
【００４５】
図６は、稼動履歴処理装置の診断回路が診断するための基準となるデータテーブルを示す構成図である。
貨幣識別処理装置１４側から読み込まれた履歴データについては、記憶回路１８にデータテーブルとして保有される。例えば、稼動時間、貨幣受付率、貨幣払出枚数の３項目を設定し、保守・点検に必要な行為として保守・点検内容を割付け、さらに、サービスセンターに返却された製品の蓄積データを基に判断されたデータを判定基準として割り振る。ここで、判定基準に基づくデータの格納について確認する。データテーブルの稼動時間に対して、装置の清掃時期、オーバーホール時期が共に保守・点検に必要な行為として割付けられ、判定基準は、装置の清掃時期が１，０００時間毎としてデータＤ１に格納され、オーバーホール時期は１００，０００時間としてデータＤ２に格納される。貨幣受付率に対しては、各センサーの清掃時期が保守・点検行為として割付けられ、判定基準は、９５％未満としてデータＤ３に格納される。貨幣払出枚数に対して、モータ点検時期、モータの交換時期が共に保守・点検に必要な行為として割付けられ、判定基準は、モータの点検時期が５万回としてデータＤ４に格納され、モータ交換時期は１０万回としてデータＤ５に格納される。
【００４６】
図７は、稼動履歴処理装置が貨幣識別処理装置から読み込んだ履歴データを画面に表示した状態を示す説明図であり、図８は、自己診断結果を画面に表示した状態を示す説明図であり、図９は、処置方法を画面に表示した状態の説明図である。
【００４７】
図７に示すように、コンピュータ１７の画面には、貨幣識別処理装置１４から読み込んだ履歴データが表示される。この画面で表示されるデータは、履歴データとしては、各種累積データ、累積故障回数が常時更新されている。この各種累積データには、稼動時間、電源投入回数、貨幣識別処理装置１４の磁気ヘッドを通過した紙幣の数を示すトータルパス数、偽札など、貨幣識別処理装置１４が受け入れず排出した紙幣の累積枚数を示す累積排除枚数、紙幣を収納している金庫を開けた回数を示す裏蓋開閉回数が表示されている。累積故障回数には、札詰り、金庫満杯、識別部異常、貨幣識別処理装置１４の一時保留部から外部へ紙幣が引き出されたことを検知する引抜検知、払出異常、紙幣を収納する金庫の故障を示すスタック異常などが発生した回数がそれぞれ表示されている。また、その下段には、金種ごとの累積受入枚数、累積払出枚数、累積収納枚数が表示されている。さらに、その下段には、稼動履歴データに基づいて演算又は設定可能な拡張コマンドデータが表示されている。このデータも履歴データ同様、常時更新されている。この拡張コマンドデータには、金種ごとの受入率データ、受入精度設定、偽札回数が表示されている。
【００４８】
この画面右下には、コンピュータ１７に処理を行わせるための複数の操作ボタンが表示されており、この操作ボタンには、自己診断表示ボタン２４が備えられている。そして、自己診断表示ボタン２４を押すと、図８に示すように、現在の自己診断結果が画面に表示される。
【００４９】
この自己診断結果の画面は、診断内容、診断結果、判定、詳細とに分かれており、診断内容には、稼動時間、トータルパス数、各種金種ごとの紙幣受入率、偽札試行回数の合計、故障関係では、札詰り、スタック異常が表示されており、その右側には、各診断内容に対しての診断結果について、簡単なメッセージが表示される。さらに、その右隣には、診断判定の記号が表示されており、メンテナンスの必要性を○、△の記号で示している。ここで、診断結果に、問題があった場合には、画面右端の詳細の欄に詳しい処置方法のメッセージを表示させるためのメッセージ表示ボタン２５，２６が表示される。一方、何も問題がない場合には、画面右端の欄にメッセージ表示ボタン２５，２６は表示されない。もし、診断結果に問題があり、画面右端の欄のメッセージ表示ボタン２５，２６を押すと、図９（Ａ）、（Ｂ）に示すような、画面が表示される。この図に示した画面は一例であるが、ここでは、メッセージ表示ボタン２５を押したときに表示される稼動時間による保守・点検についての画面と、メッセージ表示ボタン２６を押したときに表示される受付率についての画面とを示している。なお、この受付率は、貨幣識別処理装置１４が、紙幣識別センサーの汚れ等による不具合などにより、紙幣を受け入れることができずに返却した場合を考慮したものであり、貨幣識別処理装置１４に紙幣が挿入された回数に対する実際に紙幣が受け入れられた回数の割合を表すものである。
【００５０】
図９（Ａ）は、メッセージ表示ボタン２５を押したときの処置方法の画面であり、稼働時間による保守・点検について表示されている。図示の例では、現在の貨幣識別処理装置の稼動時間と保守・点検の目安である２５，０００時間を超えていることを知らせ、貨幣識別処理装置の点検項目として対処できない異常については、工場に返却し修理を実施することを知らせている。
【００５１】
図９（Ｂ）は、メッセージ表示ボタン２６を押したときの処置方法の画面であり、受付率についての処置方法の画面を示している。現在紙幣の受付率で１，０００円札が９３％と受付率が低下していることを画面で表示し、図示の例では、受付率低下の原因を表示して知らせている。稼動時間による保守・点検についての画面も同様であるが、点検項目として対処できない異常については、工場に返却し修理を実施することを知らせている。
【００５２】
図１０は、診断回路とメッセージ選択回路が行う動作を示すフローチャートである。
上述した図７の画面が表示されている状態で、表示された画面の自己診断表示ボタン２４が押された場合、先に説明した図６のデータテーブルに基づいて、診断回路１９が行う動作を図１０のフローチャートを参照して説明する。
【００５３】
先ず、ステップＳ４１では、コンピュータ１７に読み込まれた履歴データの稼働時間をデータテーブルのＤ２の値と比較し、オーバーホールの必要性チェックを行う。稼働時間がＤ２の値を超えてるか否かを判定し、超えていればオーバーホールが必要と診断して、ステップＳ４２に進みオーバーホールのメッセージを表示させるメッセージ２のフラグをセットする。また、ステップＳ４３に進み清掃メッセージを表示させるメッセージ１のフラグをリセットする（Ｓ４１→Ｓ４２→Ｓ４３）。
【００５４】
ステップＳ４１で、オーバーホールが不要と診断された場合には、ステップＳ４４に進みオーバーホールのメッセージ２のフラグをリセットする（Ｓ４１→Ｓ４４）。つぎにステップＳ４５に進み稼働時間をデータテーブルのｎ＊Ｄ１の値と比較し、清掃の必要性チェックを行う。ここで、Ｄ１にｎ（係数）を設定したのは、装置によって短い時間にくぎって診断しているため、ｎに適切な値（少数値など）を入れてそれぞれの装置に対して目的の診断基準を満たすようにしている。この値ｎは、装置や使用状態により異なる値である。ステップＳ４５は、稼働時間がｎ＊Ｄ１の値を超えてるか否かを判定し、超えていれば清掃が必要と診断して、ステップＳ４６に進み清掃のメッセージを表示させるメッセージ１のフラグをセットする（Ｓ４５→Ｓ４６）。
【００５５】
ステップＳ４５で、清掃が不要と診断された場合には、ステップＳ４７に進み清掃のメッセージ１のフラグをリセットする（Ｓ４５→Ｓ４７）。
ステップＳ４８では、受入率をデータテーブルのＤ３の値と比較し、各センサーの掃除の必要性チェックを行う。受入率がＤ３の値より小さいか否かを判定し、小さければ各センサーの清掃が必要と診断して、ステップＳ４９に進み各センサーの清掃メッセージを表示させるメッセージ３のフラグをセットする（Ｓ４８→Ｓ４９）。
【００５６】
ステップＳ４８で、各センサーの清掃が不要と診断された場合には、ステップＳ５０に進み各センサーの清掃メッセージ３のフラグをリセットする（Ｓ４８→Ｓ５０）。
ステップＳ５１では、紙幣払出枚数をデータテーブルのＤ５の値と比較し、モータ交換の必要性チェックを行う。紙幣払出枚数がＤ５の値を超えているか否かを判定し、超えていればモータ交換が必要と診断して、ステップＳ５２に進みモータ交換メッセージを表示させるメッセージ５のフラグをセットする。また、ステップＳ５３に進みモータ交換のメッセージを表示させるメッセージ４のフラグをリセットする（Ｓ５１→Ｓ５２→Ｓ５３）。
【００５７】
ステップＳ５１で、モータ交換が不要と診断された場合には、ステップＳ５５に進みモータ交換のメッセージ５のフラグをリセットする（Ｓ５１→Ｓ５５）。つぎにステップＳ５６に進み紙幣払出枚数をデータテーブルのＤ４の値と比較し、モータ点検の必要性のチェックを行う。紙幣払出枚数がＤ４の値を超えてるか否かを判定し、超えていればモータの点検が必要と診断して、ステップＳ５４に進みモータ点検のメッセージを表示させるメッセージ４のフラグをセットする（Ｓ５６→Ｓ５４）。
【００５８】
ステップＳ５６で、モータ点検が不要と診断された場合には、ステップＳ５７に進みモータ点検のメッセージ４のフラグをリセットする（Ｓ５６→Ｓ５７）。
そして、全てのチェックが終了すると、ステップＳ５８に進みメッセージのフラグの状態により、上述したように、図１０に示した診断結果を画面に表示する。
【００５９】
図１１は、処置方法等のメッセージを画面に表示させるために、メッセージ選択回路と画面表示回路が行う動作を示すフローチャートである。
上述した図９に示す画面を表示させるためには図８に示した自己診断結果の画面で、診断結果に問題があった箇所についてのメッセージ表示ボタン２５を押すと、画面表示回路が処置方法の画面を表示する。ここでは、画面表示回路２１が行う動作を図１１のフローチャートを参照して説明する。
【００６０】
図８に示した自己診断結果の表示画面に配置されたメッセージ表示ボタン２５を押すと、ステップＳ６１では、どの診断内容の診断結果についてメッセージ表示ボタン２５が、押されてたか否かを判定し、押されている場合は、ステップＳ６２に進み（Ｓ６１→Ｓ６２）、押されていない場合は、そのまま待機状態に戻る。
【００６１】
ステップＳ６２では、清掃メッセージを表示させるメッセージ１が表示されているか否かを判定し、表示されている場合には、ステップＳ６３に進みメッセージ１フラグがセットされているか否か判定し、メッセージ１フラグがセットされている場合には、ステップＳ６４に進み、清掃メッセージの処置方法であるメッセージ１を表示する。メッセージ１の画面を表示すると、そのまま待機状態に戻る（Ｓ６２→Ｓ６３→Ｓ６４→Ｓ６１）。
【００６２】
ステップＳ６３で、メッセージ１フラグがセットされていない場合には、そのまま待機状態に戻る（Ｓ６３→Ｓ６１）。
ステップＳ６２で、押されたメッセージ表示ボタンがメッセージ１のメッセージ表示ボタンでなければ、ステップＳ６５に、オーバーホールのメッセージを表示させるメッセージ２が表示されているか否かを判定し、表示されている場合には、ステップＳ６６に進み、オーバーホールの処置方法のメッセージ２を表示する。メッセージ２の画面を表示すると、そのまま待機状態に戻る（Ｓ６５→Ｓ６６→Ｓ６７→Ｓ６１）。
【００６３】
ステップＳ６５で、メッセージ２フラグがセットされていない場合には、そのまま待機状態に戻る（Ｓ６４→Ｓ６１）。
ステップＳ６５で、押されたメッセージ表示ボタンがメッセージ２のメッセージ表示ボタンでなければ、ステップＳ６８に、各センサーの清掃のメッセージを表示させるメッセージ３が表示されているか否かを判定し、表示されている場合には、ステップＳ６９に進みメッセージ３フラグがセットされているか否か判定し、メッセージ３フラグがセットされている場合には、ステップＳ７０に進み、各センサーの清掃の処置方法のメッセージ３を表示する。メッセージ３の画面を表示すると、そのまま待機状態に戻る（Ｓ６８→Ｓ６９→Ｓ７０→Ｓ６１）。
【００６４】
ステップＳ６８で、メッセージ３フラグがセットされていない場合には、そのまま待機状態に戻る（Ｓ６８→Ｓ６１）。
ステップＳ６８で、押されたメッセージ表示ボタンがメッセージ３のメッセージ表示ボタンでなければ、ステップＳ７１に、モータ点検のメッセージを表示させるメッセージ４が表示されているか否かを判定し、表示されている場合には、ステップＳ７２に進みメッセージ４フラグがセットされているか否か判定し、メッセージ４フラグがセットされている場合には、ステップＳ７３に進み、モータ点検の処置方法のメッセージ４を表示する。メッセージ４の画面を表示すると、そのまま待機状態に戻る（Ｓ７１→Ｓ７２→Ｓ７３→Ｓ６１）。
【００６５】
ステップＳ７１で、メッセージ４フラグがセットされていない場合には、そのまま待機状態に戻る（Ｓ７１→Ｓ６１）。
ステップＳ７１で、押されたメッセージ表示ボタンがメッセージ４のメッセージ表示ボタンでなければ、ステップＳ７４に、モータ交換のメッセージを表示させるメッセージ５が表示されているか否かを判定し、表示されている場合には、ステップＳ７５に進みメッセージ５フラグがセットされているか否か判定し、メッセージ５フラグがセットされている場合には、ステップＳ７６に進み、モータ交換の処置方法のメッセージ５を表示する。メッセージ５の画面を表示すると、そのまま待機状態に戻る（Ｓ７４→Ｓ７５→Ｓ７６→Ｓ６１）。
【００６６】
ステップＳ７４で、メッセージ５フラグがセットされていない場合には、そのまま待機状態に戻る（Ｓ７４→Ｓ６１）。
上記に説明したように、稼動履歴処理装置は、貨幣識別処理装置１４から読み込まれた履歴データを使って、例えば、３項目を設定し、保守・点検に必要な行為として保守・点検内容を割付けることによって、サービスセンターに返却された製品の蓄積データを基に保守・点検の判断基準を設定したデータテーブルをコンピュータ１７の診断回路１９に保有させる。そのデータテーブルからコンピュータ１７の診断回路１９が自己診断を実施し、自己診断結果の画面を表示することにより、適切なメンテナンス情報を知らせることができ、さらに、細かな処置方法も表示できるようにしたので、貨幣識別処理装置１４の構造を熟知していない人でも、市場で適切な保守・点検を行うことができる。そのため簡単な故障については、工場へ貨幣識別処理装置１４を返却しなくても復帰可能になったので、不要な工場への返却も防ぐことが可能となり、履歴データを効率良く利用することができる。このデータテーブルについては、３項目を設定していたが３項目に限らず必要なデータを設定することが可能であり、また、保守・点検に必要な行為として点検内容を割付け、さらに、履歴データを利用したメンテナンスの判定基準に関してもサービスセンターや工場へ故障により返却された貨幣識別処理装置１４の蓄積されたデータによっても、保守・点検に必要な行為の割付け、メンテナンスの判定基準もそのつど訂正や更新が可能である。
【００６７】
コンピュータ１７の各機能回路は、図５に示したように構成されている。本実施の形態においては、このコンピュータ１７と貨幣識別処理装置１４とを接続ケーブル２３によって接続し、履歴データを貨幣識別処理装置１４から読み込みメンテナンス時期の診断を行っているが、貨幣識別処理装置１４の内部に、コンピュータ１７と同様の各機能回路を設けても良いし、本実施の形態と同様に外部機器により、データを読み込み判定基準によってメンテナンス時期を診断してもどちらでもかまわないものとする。
【図面の簡単な説明】
【００６８】
【図１】貨幣識別処理装置の主要部についての構成の一例を示すブロック図である。
【図２】機能部品におけるそれぞれの稼動履歴の保存方法（その１）を示すフローチャートである。
【図３】機能部品におけるそれぞれの稼動履歴の保存方法（その２）を示すフローチャートである。
【図４】貨幣識別処理装置における稼動データのクリア処理方法を示すフローチャートである。
【図５】稼動履歴処理装置の構成例を示すブロック図である。
【図６】稼動履歴処理装置の診断回路が診断するための基準となるデータテーブルを示す構成図である。
【図７】稼動履歴処理装置が貨幣識別処理装置から読み込んだ履歴データを画面に表示した状態を示す説明図である。
【図８】自己診断結果を画面に表示した状態を示す説明図である。
【図９】処置方法を画面に表示した状態の説明図である。
【図１０】診断回路とメッセージ選択回路が行う動作を示すフローチャートである。
【図１１】処置方法等のメッセージを画面に表示させるために、メッセージ選択回路と画面表示回路が行う動作を示すフローチャートである。
【符号の説明】
【００６９】
１  金銭投入機構
２  金銭識別回路
３  金銭受付回路
４  金種判別回路
５  金銭保留機構
６  入出力回路
７  商品販売回路
８  金銭払出回路
９  記憶回路
１０  タイマ
１１  時計・タイマ
１２  規制判定回路
１３  区分設定回路
１４  貨幣識別処理装置
１５  主要回路部
１６  入出力回路
１７  コンピュータ
１８  記憶回路
１９  診断回路
２０  メッセージ選択回路
２１  画面表示回路
２２  入出力回路
２３  接続ケーブル
２４  自己診断表示ボタン
２５，２６  メッセージ表示ボタン
【図１】
2005149472.tif 000003
【図２】
2005149472.tif 000004
【図３】
2005149472.tif 000005
【図４】
2005149472.tif 000006
【図５】
2005149472.tif 000007
【図６】
2005149472.tif 000008
【図７】
2005149472.tif 000009
【図８】
2005149472.tif 000010
【図９】
2005149472.tif 000011
【図１０】
2005149472.tif 000012
【図１１】
2005149472.tif 000013